(57)【要約】      （修正有）【課題】安定して自立する表示パネルを提供する。【解決手段】板状のパネル部材２を折り曲げて形成される自立する表示パネル１であって、パネル部材は略矩形状の表示部２ａを有し、表示部を略矩形の対向する２辺の中央を結ぶ上端線で折り曲げて、端部を挟持部材３で挟持する。また、パネル部材を、湾曲された時に平板状に復そうとする曲げ弾性を有する板材で構成する。曲げ弾性により、パネル部材が内側に湾曲し、その下端が外側に向くので安定して自立する。【選択図】図１
0003193551.tif 000002
【実用新案登録請求の範囲】
【請求項１】
板状のパネル部材を折り曲げて形成され、自立する表示パネルであって、
前記パネル部材は略矩形状の表示部を有し、
前記表示部を前記略矩形の対向する２辺の中央を結ぶ上端線で折り曲げてなる端部を挟持する挟持部材を備えることを特徴とする、表示パネル。
【請求項２】
前記パネル部材は、湾曲された時に平板状に復そうとする曲げ弾性を有する板材であることを特徴とする、請求項１に記載の表示パネル。
【請求項３】
前記挟持部材は、前記端部を前記上端線の全体で挟持することを特徴とする、請求項１又は２に記載の表示パネル。
【請求項４】
前記パネル部材は、前記略矩形の前記対向する２辺以外の１辺の第１中央において内側に折り曲げられる第１接続部と前記第１中央を挟む前記１辺の両側に各１つの脚部とが形成され、前記１辺と対向する他辺の第２中央おいて内側に折り曲げられて前記第１接続部に接続される第２接続部と前記第２中央を挟む前記他辺の両側に各１つの脚部とが形成されたものであることを特徴とする、請求項１〜３のいずれか１項に記載の表示パネル。
【請求項５】
前記第２接続部に突片が形成され、前記第１接続部に前記突片を受ける受孔が形成されることを特徴とする、請求項４に記載の表示パネル。
【考案の詳細な説明】
【技術分野】
【０００１】
本考案は、卓上、床上等で安定して自立する表示パネルに関する。
【背景技術】
【０００２】
例えば長方形状の板材を側面視二等辺三角形状に折り曲げて、斜面の１つ又は２つを表示部に、１つの底辺を載置面に又は２つの斜面から一面成形される突片を脚部にして、卓上、床上等で自立する表示パネルが形成される（例えば特許文献１等参照）。板材として、強度を得るために、ポリプロピレン、その他の曲げ弾性を有する素材を採用することができる。しかし、その曲げ弾性により２つの斜面が外側に湾曲するため、また脚部の下端が内側に向くため、卓上、床上等で自立するには安定性に欠けるという問題がある。
【先行技術文献】
【特許文献】
【０００３】
【特許文献１】特開２０１４−０９１２６１号公報
【考案の概要】
【考案が解決しようとする課題】
【０００４】
本考案は、安定して自立する表示パネルを提供することを課題とする。
【課題を解決するための手段】
【０００５】
本考案の表示パネルは、
板状のパネル部材を折り曲げて形成され、自立する表示パネルであって、
前記パネル部材は略矩形状の表示部を有し、
前記表示部を前記略矩形の対向する２辺の中央を結ぶ上端線で折り曲げてなる端部を挟持する挟持部材を備えることを特徴とする。
【０００６】
これによれば、挟持部材により端部を固定し、パネル部材を適度に安定させることができる。
【０００７】
本考案の表示パネルは、
前記パネル部材は、湾曲された時に平板状に復そうとする曲げ弾性として５００ＭＰａ以上を有する板材であることを特徴とする。
【０００８】
これによれば、挟持部材により端部を固定されたパネル部材の曲げ弾性により、パネル部材が内側に湾曲し、その下端が外側に向く。
【０００９】
本考案の表示パネルは、
前記挟持部材は、前記端部を前記上端線の全体で挟持することを特徴とする。
【００１０】
これによれば、パネル部材の全体にわたり、内側に湾曲し、その下端が外側に向く効果を得ることができる。
【００１１】
本考案の表示パネルは、
前記パネル部材は、前記略矩形の前記対向する２辺以外の１辺の第１中央において内側に折り曲げられる第１接続部と前記第１中央を挟む前記１辺の両側に各１つの脚部とが形成され、前記１辺と対向する他辺の第２中央おいて内側に折り曲げられて前記第１接続部に接続される第２接続部と前記第２中央を挟む前記他辺の両側に各１つの脚部とが形成されたものであることを特徴とする。
【００１２】
これによれば、４つの脚部が外側に広がることで、４つの脚部により表示パネルが安定して自立する。
【００１３】
本考案の表示パネルは、
前記第２接続部に突片が形成され、前記第１接続部に前記突片を受ける受孔が形成されることを特徴とする。
【００１４】
これによれば、第２接続部の突片を第１接続部の受孔に入れることで、第２接続部を第１接続部に接続することができる。
【考案の効果】
【００１５】
本考案の表示パネルによれば、安定して自立する表示パネルを提供することが可能となる。
【図面の簡単な説明】
【００１６】
【図１】図１は、表示パネルの全体構成を示す図である。
【図２】図２は、パネル部材の構成を示す展開図である。
【図３】図３は、クリップの構成を示す側面図である。
【考案を実施するための形態】
【００１７】
以下、本考案の一実施形態に係る表示パネル１について説明する。
【００１８】
図１に、表示パネル１の構成を示す。表示パネル１は、卓上等で自立する表示パネルであり、パネル部材２及びクリップ３から構成される。
【００１９】
図２に、展開した状態におけるパネル部材２の構成を示す。パネル部材２は、略矩形状（一例として長さ３７ｃｍ及び幅１１．５ｃｍ）を有する板状の部材であり、曲げ弾性を有するポリプロピレン製である。なお、厚紙、金属等の曲げ弾性を有する他の素材であってもよい。
【００２０】
パネル部材２の下辺には、両端からそれぞれ約２ｃｍ内側に上に延びる切込み２ｃ１が入れられている。２つの切込み２ｃ１の上端を結ぶ基準線Ｌｃに沿って下辺の中央を内側（山折り）に折り曲げることで、その中央に矩形状の接続部２ｃ、これを挟む下辺の両端に各１つの脚部２ｂが形成される。接続部２ｃの下端近傍には、幅方向（紙面左右方向）にスリット２ｃ０が形成されている。パネル部材２の上辺にも、同様に、両端からそれぞれ約２ｃｍ内側に下に延びる切込み２ｄ１が入れられている。２つの切込み２ｄ１の下端を結ぶ基準線Ｌｄに沿って上辺の中央を内側（山折り）に折り曲げることで、その中央に矩形状の接続部２ｄ、これを挟む上辺の両端に各１つの脚部２ｂが形成される。接続部２ｄの上端中央には上に延びる突片２ｄ０が形成されている。
【００２１】
図３に、側面視におけるクリップ３の構成を示す。図１（Ａ）と併せて分かるように、クリップ３は、矩形状の挟持板３ａ，３ｂ並びにこれらの基端を結合する結合部３ｃから構成される。これらの構成各部は、ポリプロピレンによって一体的に構成される。挟持板３ａ，３ｂは、一例として、パネル部材２の幅に等しい長さ１１．５ｃｍと幅（縦幅）１ｃｍの矩形状を有する。
【００２２】
挟持板３ａ，３ｂの先端には、それぞれ、係止片３ａ０，３ｂ０が内向きに突出して形成されている。係止片３ａ０，３ｂ０は、互いに対向して奥行き方向（紙面上方向）に離間距離が小さくなるテーパ面を有し、被挟持物を係止片３ａ０，３ｂ０の間に差し入れることで容易にクリップ３を用いて被挟持体を挟むことができる。
【００２３】
表示パネル１の組み立て方について説明する。
【００２４】
パネル部材２の接続部２ｃ，２ｄをそれぞれ基準線Ｌｃ，Ｌｄに沿って内側（山折り）に折り曲げ、さらにパネル部材２の中央を基準線Ｌａについて内側（山折り）に折り曲げ、図１（Ｂ）より分かるように接続部２ｄの突片２ｄ０を接続部２ｃのスリット２ｃ０に差し入れて接続部２ｄを接続部２ｃに接続する。それにより、側面視「Ａ」形状を形成し、上端部とパネル部材２の２つの辺に形成された各２つの脚部２ｂとの間に各１つの表示部２ａを有して、４つの脚部２ｂにより自立する表示パネルが構成される。
【００２５】
さらに、図１（Ａ）より分かるように、パネル部材２を基準線Ｌａについて折り曲げてなる上端部に上方からクリップ３を挟み込んで、その上端部を幅方向の全体で挟持する。それにより、パネル部材２の曲げ弾性の効果で、上端部から図面手前の２つの脚部２ｂまでの一面（図２におけるパネル部材２の上半片）と、上端部から図面奥の２つの脚部２ｂまでの他面（図２におけるパネル部材２の下半片）と、のそれぞれが内側に湾曲し、４つの脚部２ｂが外側に広がり、それら４つの脚部２ｂにより表示パネル１が安定して自立することとなる。
【００２６】
以上詳細に説明したように、本実施形態の表示パネル１は、表示部２ａを形成するパネル部材２の両半片がそれぞれ内側に湾曲し、４つの脚部２ｂが外側に広がることで、４つの脚部２ｂにより表示パネル１が安定して自立する。
【００２７】
また、本実施形態の表示パネル１は、曲げ弾性を有する素材から板状のパネル部材２が構成されるため、クリップ３を用いてパネル部材２を基準線Ｌａについて折り曲げてなる上端部を挟持することで、パネル部材が内側に適度に湾曲する。
【００２８】
なお、本実施形態の表示パネル１では、クリップ３を用いて、パネル部材２を基準線Ｌａについて折り曲げてなる上端部を幅方向の全体で挟持することとしたが、これに限らず、幅方向の一部（例えば中央の半分）や幅方向の複数個所で挟持することとしてもよい。パネル部材２が内側に適度に湾曲するように挟持する限りにおいて、各種の方法が可能である。
【００２９】
なお、本実施形態において示したパネル部材２の各部のサイズはあくまで一例である。他のサイズであっても同様の効果を有する。
【産業上の利用可能性】
【００３０】
本考案の表示パネルは、安定して自立させるのに好適である。
【符号の説明】
【００３１】
１      表示パネル
２      パネル部材
２ａ    表示部
２ｂ    脚部
２ｃ    接続部
２ｃ０  スリット
２ｄ    接続部
２ｄ０  突片
３      クリップ
３ａ    挟持板
３ａ０  係止片
３ｂ    挟持板
３ｂ０  係止片
３ｃ    結合部
【図１】
0003193551.tif 000003
【図２】
0003193551.tif 000004
【図３】
0003193551.tif 000005